(57)【特許請求の範囲】
【請求項１】
外周筒部の内周面に容器本体の口部に螺合するねじを具えたキャップ本体と、キャップ本体の外周筒部下端に、破断可能な複数の弱化連結片と、弱化連結片よりも強度の高い連結部とにより連設された封緘リングとからなり、
封緘リングは、端部が破断可能な接続片により連結された環状の帯体であり、内周下部には、容器本体の口部外周の下部突条と係合する係止爪片が周方向に複数配設されており、
接続片は、帯体の一方の端部上部で螺脱方向に延びる上部帯体端部の先端面と、上部スリットを隔てて対向する他方の端部の螺合方向端面との間に設けられる上部接続片と、帯体の他方の端部下部で螺合方向に延びる下部帯体端部の先端面と、下部スリットを隔てて対向する一方の端部の螺脱方向端面の間に設けられる下部接続片とからなり、
上部帯体端部の先端近傍の上部には連結部が設けられ、
破断可能な弱化連結片、上部接続片および下部接続片のそれぞれの強度は、開封時にキャップ本体が螺脱するのにともなって、まず弱化連結片が破断し、続いて上部接続片、さらに下部接続片の順に破断するように設定されていることを特徴とする封緘付きねじキャップ。
【請求項２】
上部スリットと下部スリットは、上部帯体端部と下部帯体端部の間に設けられた水平スリットにより連続しており、係止爪片は水平スリットの高さよりも下方で帯体に連設されていることを特徴とする請求項１記載の封緘付きねじキャップ。
【請求項３】
帯体は、その上部に、キャップ本体の下端の所定位置に設けられた係合凹部にそれぞれ係合する係合突部が設けられていることを特徴とする請求項１または２に記載の封緘付きねじキャップ。
【発明の詳細な説明】
【技術分野】
【０００１】
本発明は、不正な開封を防止するための封緘リングを具えた封緘付きねじキャップに関し、とくに、容器に装着する際に封緘が破断しないようにした封緘付きネジキャップに関するものである。 
【背景技術】
【０００２】
ピルファープルーフ機能を有するキャップとして、容器本体の口部外周に螺合するキャップ本体の下端に、複数の細い接続片を介して、口部外周の係止部に抜け出し不能に係止する封緘リングを連結した不正開封を防止する封緘付きキャップが、従来より広く使用されている。
このキャップは、開封時に容器の口部から螺脱されるにしたがって接続片を破断させ、口部の下部に残る封緘リングと、開蓋されるキャップ本体とに分離し、これによりキャップが開蓋されたことを判別できるようになっている。
【０００３】
また、封緘付きキャップと容器本体とを構成する材質が異なる場合、廃棄物のリサイクル利用の観点から、口部に残った封緘リングを外して分別廃棄する必要があるので、封緘リングの一部に弱化部を設け、該弱化部近傍のリングの端部を比較的強固な連結片で連結し、開蓋時のキャップの螺脱操作により、封緘リングの弱化部を切断し、封緘リング自体をキャップ本体とともに容器本体の口筒部から外せるようにした不正開封を防止する封緘付きキャップは、従来より知られている（例えば、特許文献１参照）。
【先行技術文献】
【特許文献】
【０００４】
【特許文献１】特開２００４−１８２８号公報
【発明の概要】
【発明が解決しようとする課題】
【０００５】
しかしながら、上記特許文献１記載の不正開封防止キャップは、弱化部８が、開封判別用のリング７の上端部に破断可能な肉薄部分を残存して、下方の残部を切り欠きとした構造であるため、キャップを壜本体１１の口筒１２に取り付けるに際し、リング７は、キャップ本体１が螺合するのにともなって、口筒１２の螺旋条１３や係止突条１４を乗り越えるために径方向に広がる力が加わり、切り欠きが下方から広がるように変形して、正常に開封される前に弱化部８が破断してしまうことがあった。
そのため、弱化部８の強度を高め、キャップ装着時にリング７が破断しないようにすると、正常に開封するときにも弱化部８が破断せず、連結片６の方が破断してしまい、リング７が口筒１２に残ってしまうという問題があった。
【０００６】
本発明は、上記問題を解決することを課題とし、不正な開封を防止するための封緘リングを具えた封緘付きねじキャップにおいて、封緘リングを、開封時に容器本体から外して分別廃棄することができるように破断可能とするとともに、容器本体に装着するに際しては破断しないようにした封緘付きネジキャップを提供することを目的とする。
【課題を解決するための手段】
【０００７】
本発明は、上記の課題を解決するため、封緘付きねじキャップとして、外周筒部の内周面に容器本体の口部に螺合するねじを具えたキャップ本体と、キャップ本体の外周筒部下端に、破断可能な複数の弱化連結片と、弱化連結片よりも強度の高い連結部とにより連設された封緘リングとからなり、封緘リングは、端部が破断可能な接続片により連結された環状の帯体であり、内周下部には、容器本体の口部外周の下部突条と係合する係止爪片が周方向に複数配設されており、接続片は、帯体の一方の端部上部で螺脱方向に延びる上部帯体端部の先端面と、上部スリットを隔てて対向する他方の端部の螺合方向端面との間に設けられる上部接続片と、帯体の他方の端部下部で螺合方向に延びる下部帯体端部の先端面と、下部スリットを隔てて対向する一方の端部の螺脱方向端面の間に設けられる下部接続片とからなり、上部帯体端部の先端近傍の上部には連結部が設けられ、破断可能な弱化連結片、上部接続片および下部接続片のそれぞれの強度は、開封時にキャップ本体が螺脱するのにともなって、まず弱化連結片が破断し、続いて上部接続片、さらに下部接続片の順に破断するように設定されていることを特徴とする構成を採用する。
【０００８】
封緘付きねじキャップの実施形態として、上部スリットと下部スリットは、上部帯体端部と下部帯体端部の間に設けられた水平スリットにより連続しており、係止爪片は水平スリットの高さよりも下方で帯体に連設されていることを特徴とする構成を採用する。
また、封緘付きねじキャップのさらなる実施形態として、帯体は、その上部に、キャップ本体の下端の所定位置に設けられた係合凹部にそれぞれ係合する係合突部が設けられていることを特徴とする構成を採用する。
【発明の効果】
【０００９】
本発明の封緘付きねじキャップは、封緘リングが、螺脱方向に延びる上部帯体端部に設けられた上部接続片と、螺合方向に延びる下部帯体端部に設けられた下部接続片とにより、端面が破断可能に連結された環状の帯体からなっているので、容器本体に装着するに際して、封緘リングが容器口部のねじ山や下部突条によって広がろうとしても、封緘リングの引っ張り強度は、上部接続片と下部接続片の２つの接続片を合わせものとなり、大きな強度を有するから、破断することがない。
【００１０】
また、本発明の封緘付きねじキャップは、封緘リングの内周下部に、容器本体の口部外周の下部突条と係合する係止爪片が周方向に複数配設され、上部帯体端部の先端近傍の上部には連結部が設けられているから、開封時には、キャップ本体の螺脱にともなって、封緘リングの上部帯体端部が連結部により引き上げられ、上部接続片が先に引っ張り力と剪断力による負荷を受け、その後螺脱のさらなる進行によって下部接続片に負荷がかかるようになっており、両接続片に一度に大きな負荷がかかることはないから、開封が困難になったり、封緘リングが破断せず容器本体の口部に残ったりすることがない。
【図面の簡単な説明】
【００１１】
【図１】本発明の第１実施例の封緘付きねじキャップを容器本体に装着した状態を示す図であり、（ａ）は正面図、（ｂ）は図（ａ）の要部拡大図である。
【図２】本発明の第１実施例の封緘付きねじキャップの説明図であり、（ａ）は容器本体に装着した状態を示す断面側面図、（ｂ）は下面図である。
【図３】本発明の第１実施例の封緘付きねじキャップの開封過程を説明する図であり、（ａ）は上部接続片が破断した状態を示す正面図、（ｂ）は、さらに下部接続片が破断した状態を示す正面図である。
【図４】本発明の第２実施例の封緘付きねじキャップを容器本体に装着した状態を示す正面図である。
【発明を実施するための形態】
【００１２】
次に、本発明の封緘付きねじキャップについて、実施例を示した図面を参照して説明する。
【実施例１】
【００１３】
図１〜３において、Ａは容器本体Ｃの口部１に螺着されるキャップ本体、Ｂはキャップ本体Ａの下端部に一体に連設された封緘リングである。
なお、４０は、容器本体Ａの口部１を密閉する中蓋であり、必要に応じて適宜設けられればよい。
【００１４】
図１、２に示すように、キャップ本体Ａは、頂壁５の周縁に垂下する外周筒部６の内周面に、容器本体Ｃの口部１のねじ２に螺合するねじ部７が設けられている。
外周筒部６の外周には、滑り止めのためのローレット等が設けられ、外周筒部６の下端８には、破断可能に形成された幅の細い弱化連結片９が周方向複数個所に設けられ、同様に下端８に設けられた一つの連結部１０とともに、封緘リングＢを連結している。
連結部１０は、図１に示すように、弱化連結片９よりも幅広で強度が高く形成されている。
【００１５】
封緘リングＢは、端部が破断可能な接続片１３により連結された環状の帯体１４であり、帯体１４の内周下部には、容器本体Ｃの口部１の外周に設けられた下部突条３と係合する係止爪片１５が周方向に複数配設されている。
係止爪片１５は、内方に向け斜め上方に突出した弾性を有する突片であり、キャップ本体Ａとともに封緘リングＢを容器本体Ｃの口部１に装着するとき、下部突条３を乗り越えて下部突条３の下面に係合するようになっている。
【００１６】
接続片１３は、上部接続片１３ａと下部接続片１３ｂの２本の接続片からなり、周方向に位置の異なる上部スリット１６と下部スリット１７を隔てて対向する帯体１４の端部相互を破断可能に連結している。
帯体１４の螺脱方向側端部の端面２０の上部には、螺脱方向に突出して延びる上部帯体端部２１が設けられ、その先端面２２に上部接続片１３ａが設けられて、対向する螺合方向側端部の端面２３と連結している。
【００１７】
また、帯体１４の螺合方向側端部の端面２３の下部には、螺合方向に突出して延びる下部帯体端部２４が設けられ、その先端面２５には下部接続片１３ｂが設けられて、対向する螺脱方向側端部の端面２０に連結している。
上部帯体端部２１の先端面２２に面する上部スリット１６と、上部スリット１６よりも螺合方向側に位置し、下部帯体端部２４の先端面２５に面する下部スリット１７とは、水平方向のスリット２６によって連続し、全体として上下方向に屈曲しながら連続するスリットを形成している。
【００１８】
上部帯体端部２１の上部には、先端面２２の近傍に幅広の連結部１０が設けられ、キャップ本体Ａの下端８に連結している。
帯体１４の係止爪片１５は、水平スリット２６の高さより下方の周方向複数個所に設けられている。
本実施例では、容器本体Ｃへの装着時の負荷が大きくならないように、係止爪片１５は下部帯体端部２４には設けられていないが、必要に応じて下部帯体端部２４にも設けることができる。
【００１９】
次に、本実施例の使用態様と作用効果について説明する。
まず、本実施例の封緘付きねじキャップを容器本体Ｃに装着するには、キャップ本体Ａのねじ部７を口部１のねじ２に螺着し、キャップ本体Ａを螺合方向に回転させていくと、封緘リングＢは、弱化連結片９および連結部１０によりキャップ本体Ａに連結されているので、キャップ本体Ａとともに下降していく。
【００２０】
所定高さまで下降すると、封緘リングＢの内周下部に設けられた係止爪片１５が容器本体Ｃの下部突条３に接するようになり、さらにキャップ本体Ａをねじ込んでいくと、係止爪片１５は、その弾性によって下部突条３を乗り越えていこうとするが、このとき封緘リングＢを外側に広げるように力が働き、接続片１３には引っ張り力が働く。
しかしながら、接続片１３は、上部帯体端部２１の先端面２２と螺合方向側端面２３とを連結している上部接続片１３ａと、下部帯体端部２４の先端面２５と螺脱方向側端面２０とを連結している下部接続片１３ｂからなっているので強度が高いとともに、封緘リングＢが変形して剪断力が働くようなことがないため、容器本体Ｃへの装着時に破断するようなことはない。
さらにキャップ本体Ａをねじ込んでいくと、係止爪片１５は下部突条３の下面に係合し、封緘付きねじキャップの容器本体Ｃへの装着が完了する。
【００２１】
次に、容器本体Ｃに装着した封緘付きねじキャップを初めて開蓋する、開封時の態様について説明する。
キャップ本体Ａを螺脱方向に回転してねじを緩めていくと、キャップ本体Ａが上昇していくのに対して、封緘リングＢは、帯体１４の係止爪片１５が下部突条３に係合しているため上昇が阻止され、摩擦力によってキャップ本体Ａの回転に抵抗が生じるようになる。
摩擦抵抗力に抗して、さらにキャップ本体Ａを回転させていくと、摩擦力の増大によって帯体１４に延びが発生し、弱化連結片９には上下の引っ張り力に加えて、剪断力も加わるようになり破断していく。
【００２２】
弱化連結片９が破断しても、連結部１０は弱化連結片９よりも強度が高く、かつ連結部１０が設けられた上部帯体端部２１には係止爪片１５が設けられていないため、キャップ本体Ａの回転と上昇にともなって、連結部１０は、上部帯体端部２１の先端付近を上昇させるとともに封緘リングＢをさらに回転させる。
一方、反対側の螺合方向側端部では、弱化連結片９が破断しているとともに係止爪片１５が下部突条３に係合しているので、キャップ本体Ａと封緘リングＢとの間の間隙ｈが大きくなり、図３（ａ）に示すように、当該間隙が所定値ｈ１まで大きくなると、上部帯体端部２１の先端面２２と螺合方向側端面２３とを連結している上部接続片１３ａが剪断力によって容易に破断する。
【００２３】
この時点では、係止爪片１５が存在しない上部帯体端部２１が変形することによって、螺脱方向側端面２０は連結部１０に連結している上部帯体端部２１の先端付近より低い位置に保持され、係止爪片１５が存在しない下部帯体端部２４も若干変形するので、下部帯体端部２４の先端面２５と螺脱方向側端面２０とを連結している下部接続片１３ｂは破断しない。
さらにキャップ本体Ａを回転させていくと、下部接続片１３ｂは破断していないので、封緘リングＢの螺合側端部は係止爪片１５によって引き続き下部突条３に係合し、キャップ本体Ａとの間隙ｈがさらに広がって所定値ｈ２に達すると、図３（ｂ）に示すように、上部帯体端部２１の変形も限界となり螺脱方向側端面２０がさらに引き上げられて、下部接続片１３ｂも破断する。
【００２４】
このように、上部接続片１３ａと下部接続片１３ｂに大きな力が働く時間に差があるとともに、両接続片１３ａ，１３ｂには剪断力が働くので、開封が困難になるほど一度に大きな負荷がかかることはない。
下部接続片１３ｂが破断すると、帯体１４が自由となり、係止爪片１５と下部突条３との係合も解除されるので、以後は、帯状になった封緘リングＢを連結部１０によって連結したままキャップ本体Ａを回転して、開蓋することができる。
その後、キャップ本体Ａから帯体１４を引っ張って封緘リングＢをむしり取れば、キャップ本体Ａを自由に開閉することができ、封緘リングＢを容器本体Ａと分別廃棄することができる。
【００２５】
このように、本実施例の封緘リング付きねじキャップは、開封後は弱化連結片９や接続片１３が破断して、キャップの外観が開封前と変化するので、不正な開封を視認することができるとともに、封緘リングＢを取り外して容器本体Ａと分別して廃棄することができる。
また、周方向位置が異なる２つの上部接続片１３ａと下部接続片１３ｂとで帯体１４の端部を連結しているので、本実施例の封緘リング付きねじキャップを容器本体Ｃに装着する際に、封緘リングＢが破断してしまうようなことがないとともに、開封時には、上部接続片１３ａと下部接続片１３ｂに大きな力が働く時間に差が生じるので、開封が困難になるほど一度に大きな負荷がかかることはない。
【実施例２】
【００２６】
次に、封緘付きねじキャップを容器本体Ｃに装着する際に、キャップ本体Ａと封緘リングＢとを係合する係合部を設けた第２実施例について説明する。
以下、第１実施例と同一の構成部分には同一の符号を付し、相違点を中心に説明する
【００２７】
本実施例の封緘付きねじキャップでは、封緘リングＢの帯体１４の上部に、キャップ本体Ａの下端８の所定位置に設けられた係合凹部３１ａ，３１ｂにそれぞれ係合する係合突部３０ａ，３０ｂが設けられている。
係合突部３０ａと３０ｂは、上部スリット１６を挟んで螺合方向側に係合突部３０ａが、螺脱方向側に係合突部３０ｂが設けられ、それぞれの螺合方向側には傾斜面が形成され、螺脱方向側にはほぼ垂直な面が形成されている。
【００２８】
次に、本実施例の使用態様と作用効果について説明する。
まず、本実施例の封緘リング付きねじキャップを容器本体Ｃに装着するには、実施例１と同様に、キャップ本体Ａを容器本体Ｃの口部１に螺着し、回転して降下させていく。
その際、キャップ本体Ａの外周筒部６の下端８に設けた係合凹部３１ａ，３１ｂと、封緘リングＢの帯体１４の上部に設けた係合突部３０ａと３０ｂとが係合することによって、キャップ本体Ａの下降にともない封緘リングＢを下方に押すとともに、キャップ本体Ａの回転力を封緘リングＢに確実に伝えることができる。
【００２９】
係合凸部３０ａと３０ｂと係合凹部３１ａ，３１ｂが係合して、キャップ本体Ａの回転力を封緘リングＢに確実に伝えるので、キャップ本体Ａと封緘リングＢとを連結する弱化連結片９および連結部１０および接続片１３に負担を掛けないようにすることができ、容器本体Ｃへの装着時に、弱化連結片９および連結部１０および接続片１３が破断してしまうようなトラブルを防止することができる。
【００３０】
また、開封時には、係合凸部３０ａと３０ｂの螺合方向側の傾斜面が、キャップ本体Ａと封緘リングＢとの間隙を広げ、弱化連結片９を破断しやすくする効果も奏する。
その他の作用効果は、実施例１と同様であり、容器本体Ｃに装着する際に、封緘リングＢが破断してしまうようなことがないとともに、開封時には、各接続片１３ａ，１３ｂに働く力の時間差により、開封が困難になるほど負荷がかかることはない。
【産業上の利用可能性】
【００３１】
本発明の封緘リング付きねじキャップは、不正な開封を視認することができるとともに、開封時に、キャップ本体と一緒に封緘リングを容器本体から容易に取り外すことができるので、容器本体と分別廃棄することが必要なねじキャップとして広く利用することができる。
【符号の説明】
【００３２】
Ａ            キャップ本体
Ｂ            封緘リング
Ｃ            容器本体
１            口部
２            ねじ
３            下部突条
５            頂壁
６            外周筒部
７            ねじ部
８            下端
９            弱化連結片
１０            連結部
１３            接続片
１３ａ          上部接続片
１３ｂ          下部接続片
１４            帯体
１５            係止爪片
１６            上部スリット
１７            下部スリット
２０            螺脱方向側端面
２１            上部帯体端部
２２            先端面
２３            螺合方向側端面
２４            下部帯体端部
２５            先端面
２６            水平スリット
３０ａ，３０ｂ  係合凸部
３１ａ，３１ｂ  係合凹部
４０            中蓋
【図１】
0006041525.tif 000002
【図２】
0006041525.tif 000003
【図３】
0006041525.tif 000004
【図４】
0006041525.tif 000005